(57)【要約】【課題】使用勝手が良く、使用者に満足感を与えることができる吐水ヘッドを提供する。【解決手段】湯水を通過させる通水流路を具備するヘッド本体と、形成領域Ｎにおいて通水流路を通過した湯水を外部に吐水するための吐水孔を貫通状に多数、形成した吐水フェース（シャワーフェース３０）を具備し、ヘッド本体１０において通水流路の端末部を構成する部位に配設される可動部材と、を備える。可動部材は、吐水フェース（シャワーフェース３０）の軸心Ｒを回転軸心として回転可能な状態に配設される。そして、形成領域Ｎにおいて、吐水フェース（シャワーフェース３０）の回転軸心に直交する一の方向Ｘ１に沿った幅ｄ１と他の方向Ｙ１に沿った幅ｄ２とが異なる。【選択図】図１３
2007275864.tif 000002
【特許請求の範囲】
【請求項１】
把持部を有すると共に内部に湯水を通過させる通水流路を具備するヘッド本体と、
前記通水流路を通過した湯水を外部に吐水するための吐水孔が、形成領域において貫通状に多数、形成された吐水フェースを具備すると共に、前記ヘッド本体において前記通水流路の端末部を構成する部位に配設される可動部材と、
を備える吐水ヘッドであって、
前記可動部材は、前記吐水フェースの軸心を回転軸心として回転可能な状態に配設されると共に、
前記形成領域において前記回転軸心に直交する一の方向に沿った幅と、前記形成領域において前記回転軸心に直交する他の方向に沿った幅と、が異なることを特徴とする吐水ヘッド。
【請求項２】
把持部を有すると共に内部に湯水を通過させる通水流路を具備するヘッド本体と、
前記通水流路を通過した湯水を外部に吐水するための吐水孔が、形成領域において貫通状に多数、形成された吐水フェースを具備すると共に、前記ヘッド本体において前記通水流路の端末部を構成する部位に配設される可動部材と、
を備える吐水ヘッドであって、
前記可動部材は、前記吐水フェースの軸心を回転軸心として回転可能な状態に配設されると共に、
前記形成領域における前記回転軸心に直交する一の方向に沿って前記回転軸心から第１の距離だけ隔てた第１の部位に存在する吐水孔が構成する経路が、前記回転軸心と形成する角度と、
前記形成領域における前記回転軸心に直交する他の方向に沿って前記回転軸心から第１の距離と同一の距離だけ隔てた第２の部位に存在する吐水孔が構成する経路、若しくは、該第２の部位から最も近い吐水孔が構成する経路が、前記回転軸心と形成する角度と、
が異なることを特徴とする吐水ヘッド。
【請求項３】
前記吐水フェースにおいて、前記回転軸心に直交する一の方向に沿った幅と、前記回転軸心に直交する他の方向に沿った幅と、が異なることを特徴とする請求項１又は請求項２に記載の吐水ヘッド。
【請求項４】
前記ヘッド本体、若しくは、前記ヘッド本体に装着された被係合部材に被係合部を設け、前記可動部材に係合部を設けると共に、
前記形成領域の前記回転軸心に直交する一の方向が略水平な方向を向いたときと、
前記形成領域の前記回転軸心に直交する他の方向が略水平な方向を向いたときと、
の少なくとも何れか一方のときに、前記係合部と前記被係合部材とが係合状態となることを特徴とする請求項１乃至請求項３の何れかに記載の吐水ヘッド。
【請求項５】
前記ヘッド本体、若しくは、前記ヘッド本体に装着された被係合部材に、第１の被係合部及び第２の被係合部を設け、前記可動部材に第１の係合部及び第２の係合部を設け、
前記形成領域の前記回転軸心に直交する一の方向が略水平な方向を向いたときに、前記第１の係合部と前記第１の被係合部材とが係合状態となり、
前記形成領域の前記回転軸心に直交する他の方向が略水平な方向を向いたときに、前記第２の係合部と前記第２の被係合部材とが係合状態となることを特徴とする請求項１乃至請求項３の何れかに記載の吐水ヘッド。
【請求項６】
前記ヘッド本体において前記通水流路の端末部を構成する部位には、取付用端面部が設けられ、該取付用端面部からは、前記吐水フェースの回転軸心と軸心を一致させた軸部が突出し、
前記可動部材は、
後面部を前記取付用端面部に対向させ、軸挿通部に前記軸部を挿通させつつ、前記軸部によって回転可能な状態に支持される基体部材と、該基体部材に対して該基体部材の前面部の側から装着される前記吐水フェースと、
を備え、
前記軸部において前記軸挿通部の前方に突出する部位には、抜け止め部材が装着されると共に、
前記後面部の所定の部位には、装着孔が開口し、前記吐水フェースにおいて前記装着孔と位置合わせされる箇所には被螺着部が設けられ、所定の雄ネジ部材の雄ネジ部を、前記後面部の後方から、前記装着孔を介して前記被螺着部に螺着しすることによって、前記吐水フェースが前記基体部材に対して固定され、
前記取付用端面部において、前記吐水フェースの回転軸心に直交する一の方向に沿った第１の幅が、前記吐水フェースの回転軸心に直交する他の方向に沿った第２の幅のよりも大きくされ、
前記装着孔と吐水フェースの回転軸心との距離が、前記第２の幅よりも大きく、前記第１の幅よりも小さくされることを特徴とする請求項１乃至請求項５の何れかに記載の吐水ヘッド。
【発明の詳細な説明】
【技術分野】
【０００１】
本発明は、シャワーヘッド等の吐水ヘッドに関する。
【背景技術】
【０００２】
一般、水栓は、水栓本体と、この水栓本体の湯水を吐水するための吐水具と、を備えている。この吐水具としては、吐水管（カラン）の他に、シャワーヘッド等の吐水ヘッドが用いられている（特許文献１を参照）。この吐水ヘッドは、図２５に示すように、把持部（グリップ部）８０ａを備えると共に内部に湯水の通水流路を備えるヘッド本体８０と、このヘッド本体８０の端末部（通水流路の端末部）側に配設される吐水フェース８１と、を備えている。
【０００３】
この吐水フェース８１は、裏面部を通水流路の１次側に向け、表面部を８１ａ吐水ヘッドの外部に露呈させた状態で配置されると共に、表裏面を貫通する状態の吐水孔８５を、例えば、散点状に多数、備える。そして、通水流路を通過した湯水は、この多数の吐水孔８５を通じて、外部に吐水される。
【特許文献１】特開２００２−３６４０３７号公報
【発明の開示】
【発明が解決しようとする課題】
【０００４】
しかし、この従来例の吐水ヘッドには以下のような問題がある。即ち、使用者が把持部８０ａを握り、固定して使用する場合の吐水範囲（吐水ヘッドが吐水を行う範囲）の横幅（以下、「吐水幅」ということがある。）Ａは、比較的狭い範囲に限定される。例えば、吐水ヘッドが、洗髪のために高い頻度で使用されることを考慮して、使用者の頭部に効率的に吐水可能な幅とされる。換言すると、吐水範囲の横幅Ａは、「使用者の頭部の幅をカバーできる範囲」に設定される。
【０００５】
このため、使用者が、自己の体のうちで、この頭部よりも幅の広い部位に吐水しようとする場合は、この吐水ヘッドの使用勝手が悪くなる。例えば、胴部（図１６中、胴部の幅を符号Ｂで示す。）に対して吐水しようとする場合、吐水ヘッドを自己の面前において、左右に、しかも、大きく移動することが必要であり、使用者にとって面倒であるからである。
【０００６】
また、この吐水ヘッドを用いた場合、使用者に「物足りなさ」を感じさせることがある。例えば、この吐水ヘッドを用いて、自己の体に温水を浴びせても、この体において温水を浴びる範囲が、逐一変化する。このため、この吐水ヘッドを用いて、自己の体を十分に温めることは困難であるからである。特に、冬季等の寒い時期に、浴槽につからず、シャワーのみで入浴を済まそうとする場合（以下、「シャワー入浴」という。）に、使用者が、「物足りなさ」や「寒さ」を感じる傾向が強くなる。
【０００７】
本発明は、上述の課題を解決するものであり、使用勝手が良く、使用者に満足感を与えることができる吐水ヘッドを提供することを目的とする。
【課題を解決するための手段】
【０００８】
請求項１の発明の吐水ヘッドは、
把持部を有すると共に内部に湯水を通過させる通水流路を具備するヘッド本体と、
前記通水流路を通過した湯水を外部に吐水するための吐水孔が、形成領域において貫通状に多数、形成された吐水フェースを具備すると共に、前記ヘッド本体において前記通水流路の端末部を構成する部位に配設される可動部材と、
を備える吐水ヘッドであって、
前記可動部材は、前記吐水フェースの軸心を回転軸心として回転可能な状態に配設されると共に、
前記形成領域において前記回転軸心に直交する一の方向に沿った幅と、前記形成領域において前記回転軸心に直交する他の方向に沿った幅と、が異なることを特徴とする。
【０００９】
請求項１の発明の吐水ヘッドによると、可動部材の回転量（以下、可動部材の回転量というと、回転軸心回りの回転量を指す。）を選択することで、形成領域の横幅を変更することができる。換言すると、「吐水孔の形成範囲の横方向への広がり度合い」を変更することができる。よって、可動部材の回転量を選択することで、吐水幅を選択することができるため、使用勝手が良く、使用者に満足感を与えることができる。
【００１０】
各請求項の発明の「形成領域」とは、「吐水フェースにおいて吐水孔が形成される領域」である。そして、吐水孔は、「吐水フェースにおいて、形成領域の外縁部の以内の部位（外縁部上、つまり、オンラインも含む、外縁部の内側の部位）」に多数、分布する状態に形成される。尚、各請求項の発明において、「形成領域における吐水孔の分布密度」は、略一定とされていてもよし、バラツキを生じていてもよい。また、各請求項の発明の「形成領域」の中心部が、吐水フェースの軸心と一致していることが望ましいが、中心部が吐水フェースの軸心と不一致となっていてもよい。
【００１１】
各請求項の発明において、形成領域の外縁部と吐水フェースの外縁部とが一致していてもよいが、通常、形成領域の外縁部は、吐水フェースの外縁部よりも内側とされる。この場合、「吐水フェースの外縁部と形成領域の外縁部の距離」が、吐水フェースの外縁部を周回する方向に沿って一定となってもよいし、バラツキを生じてもよい。但し、この「距離のバラツキ」を、２０％以下（０％を含む。）とすることが好ましく、１０％以下（０％を含む。）とすることが更に好ましく、５％以下（０％を含む。）とすることが好ましい。
【００１２】
各請求項の発明において、「他の方向」は、１つの方向のみであってもよいし、複数の方向であってもよい。ここで、「他の方向」が「１つの方向」の場合、、「一の方向」と「他の方向」とが直交してもよいし（例えば、「回転軸心と直交することを前提とした縦方向」と、「回転軸心と直交することを前提とした横方向」）、直交しなくてもよい。また、各請求項の発明において、可動部材は、（１）吐水フェースのみで構成されてもよいし、（２）吐水フェースと、基体部（基体部が複数の部材で構成されてもよい。）とで構成し、吐水フェースと、ヘッド本体との間に基体部を介在させてもよい。
【００１３】
各請求項の発明では、「吐水フェースの形成領域」への吐水孔の形成態様を種々選択できるが、例えば、（１）散点状に形成する態様、（２）「吐水フェースの中央部から放射状に形成される複数の仮想線」の各々に沿って、間隔（等間隔であってもよいし、適宜、間隔が異なってもよい。）をおいて連続形成する態様、（３）「吐水フェースの中央部を基準とする複数の仮想的な同心円（真円、楕円、長円の何れでもよい。）」の各々に沿って、間隔（等間隔であってもよいし、適宜、間隔が異なってもよい。）をおいて連続形成する態様、等を例示できる。
【００１４】
各請求項の発明においては、「吐水フェースの軸心」は、例えば、「吐水フェースの中央部」に略直交する状態に設定される。そして、使用者は、把持部を固定しつつ（手で把持して固定したり、フック等の支持具に把持させて固定）、吐水方向を略一定方向としつつ、可動部材を回転することができる。
【００１５】
各請求項の発明の「吐水ヘッド」としては、シャワーヘッド（例えば、浴室用、洗面用、キッチン用等）や、その他の吐水ヘッド（例えば、キッチン用等）を例示できる。また、各請求項の発明の「湯水」は、「湯」若しくは「水」の意味で用いられ、その温度は特に問わない。即ち、この「湯水」は、（１）水道配管から供給されたままの状態の「水（つまり「原水」）」と、（２）「原水」を暖め若しくは沸かして構成される「湯（つまり、「原湯」）」と、（３）「原水」と「原湯」とを混合した「混合水」とのうちの何れをも指す意味で用いる。
【００１６】
請求項２の発明の吐水ヘッドは、
把持部を有すると共に内部に湯水を通過させる通水流路を具備するヘッド本体と、
前記通水流路を通過した湯水を外部に吐水するための吐水孔が、形成領域において貫通状に多数、形成された吐水フェースを具備すると共に、前記ヘッド本体において前記通水流路の端末部を構成する部位に配設される可動部材と、
を備える吐水ヘッドであって、
前記可動部材は、前記吐水フェースの軸心を回転軸心として回転可能な状態に配設されると共に、
前記形成領域における前記回転軸心に直交する一の方向に沿って前記回転軸心から第１の距離だけ隔てた第１の部位に存在する吐水孔が構成する経路が、前記回転軸心と形成する角度（但し、この角度を、「鋭角」で判定する。）と、
前記形成領域における前記回転軸心に直交する他の方向に沿って前記回転軸心から第１の距離と同一の距離だけ隔てた第２の部位に存在する吐水孔が構成する経路、若しくは、該第２の部位から最も近い吐水孔が構成する経路が、前記回転軸心と形成する角度（但し、この角度を、「鋭角」で判定する。）と、
が異なることを特徴とする。
【００１７】
請求項２の発明の吐水ヘッドによると、可動部材の回転量を選択することで、経路方向が異なる吐水孔を、使用者の面前の横方向に配置することができる。換言すると、「吐水ヘッドから吐水される湯水の吐水方向」の「使用者を基準とした横方向への広がり度合い」を変更することができる。よって、可動部材の回転量を選択することで、吐水幅を選択することができるため、使用勝手が良く、使用者に満足感を与えることができる。
【００１８】
尚、請求項２の発明では、請求項１の発明と異なり、形成領域の平面形状を、真円状等の対称性の高い形状とすることもできる。また、請求項２の発明において、「第１の距離と同一の距離だけ隔てた第２の部位に存在する吐水孔が構成する経路、若しくは、該第２の部位から最も近い吐水孔が構成する経路」としたのは以下の理由による。つまり、回転軸心に直交する他の方向に沿って、回転軸心から、第１の距離と同一の距離にある部位には、吐水孔が存在しない可能性もある。この場合は、この「同一の距離にある部位」に最接近する「吐水孔」の角度を考慮する意図である。
【００１９】
ここで、請求項２の発明の「第１の距離」は、「１通り」のみ設定されてもよいし（以下、「前者」という。）、複数通り設定されてもよい（以下、「後者」という。）。そして、「第１の距離の部位に存在する吐水孔」は、前者の場合、吐水ヘッドの軸心を挟んで「一組」設定され、後者の場合、吐水ヘッドの軸心を挟んで「複数組」設定される。同様に、「第１の距離と同一の距離だけ隔てた第２の部位に存在する吐水孔、若しくは、該第２の部位から最も近い吐水孔」も、前者の場合、吐水ヘッドの軸心を挟んで「一組」設定され、後者の場合、吐水ヘッドの軸心を挟んで「複数組」設定される。
【００２０】
尚、「第１の距離」としては、例えば、「形成領域において、吐水フェイスの回転軸心に直交する一の方向に沿った幅」と、「形成領域において、吐水フェイスの回転軸心に直交する他の方向に沿った幅」と、のうちの長くない方の幅（同じ場合は、その幅）の「１／５」〜「１／２」のうち何れかの距離、好ましくは、「３／５」〜「１／２」のうち何れかの距離を例示できる。
【００２１】
請求項３の発明の吐水ヘッドは、請求項１又は請求項２に記載の吐水ヘッドにおいて、
前記吐水フェースにおいて、前記回転軸心に直交する一の方向に沿った幅と、前記回転軸心に直交する他の方向に沿った幅と、が異なることを特徴とする。
【００２２】
請求項３の発明によると、吐水フェースの平面形状が長軸と短軸とを備えるため、使用者は、吐水フェースを観察することで、「吐水フェースの回転位置（回転量）」と、「吐水幅（吐水範囲）」との関係を瞬時に、しかも、明確に認識できる。よって、請求項３の発明の吐水ヘッドでは、その使用勝手が更に向上する。尚、請求項３の発明の「吐水フェースの平面形状」としては、略楕円形、略長円形、略長方形等を例示できる。
【００２３】
請求項４の発明の吐水ヘッドは、請求項１乃至請求項３の何れかに記載の吐水ヘッドにおいて、
前記ヘッド本体、若しくは、前記ヘッド本体に装着された被係合部材に被係合部を設け、前記可動部材に係合部を設けると共に、
前記形成領域の前記回転軸心に直交する一の方向が略水平な方向を向いたときと、
前記形成領域の前記回転軸心に直交する他の方向が略水平な方向を向いたときと、
の少なくとも何れか一方のときに、前記係合部と前記被係合部材とが係合状態となることを特徴とする。
【００２４】
請求項４の発明では、「吐水幅」が広くなる回転位置と、狭くなる回転位置と、のうちの少なくとも一方において、対応する係合部と被係合部とを係合させ、吐水ヘッドの使用勝手を更に向上させることを意図している。
【００２５】
例えば、「吐水幅」が広くなる回転位置と、狭くなる回転位置とのうちの一方において、対応する係合部及び被係合部の係合を利用して、ヘッド本体と可動部材とを固定する態様を採用することによって、吐水ヘッドの使用勝手を更に向上させることができる。
【００２６】
若しくは、対応する係合部と被係合部との係合態様を、弾性係合とすることによっても、吐水ヘッドの使用勝手を更に向上させることができる。つまり、請求項４の発明において（後述する請求項５発明においても同様である。）、対応する係合部及び被係合部のうちの一方を、弾性係合部（「板バネ」、「つる巻きバネ」、「ボールをバネ等で付勢して出没させるプランジャー」等）で構成し、他方を、この弾性係合部が弾性係合可能な凸部や凹部で構成する。そして、「吐水幅」が広くなる回転位置と、狭くなる回転位置と、において、対応する係合部と被係合部を弾性係合させる態様を採用することもできる。この場合、使用者は、この弾性係合により、例えば、ノッチ感（クリック感）を得ることができるため、吐水ヘッドの使用勝手が更に向上する。尚、請求項４の発明においては、対応する「被係合部材及び係合部の係合」を、可動部材の回転位置の位置固定をすることと、クリック感を得ることの双方のために用いてもよい。
【００２７】
請求項５の発明の吐水ヘッドは、請求項１乃至請求項３の何れかに記載の吐水ヘッドにおいて、
前記ヘッド本体、若しくは、前記ヘッド本体に装着された被係合部材に、第１の被係合部及び第２の被係合部を設け、前記可動部材に第１の係合部及び第２の係合部を設け、
前記形成領域の前記回転軸心に直交する一の方向が略水平な方向を向いたときに、前記第１の係合部と前記第１の被係合部材とが係合状態となり、
前記形成領域の前記回転軸心に直交する他の方向が略水平な方向を向いたときに、前記第２の係合部と前記第２の被係合部材とが係合状態となることを特徴とする。
【００２８】
請求項５の発明においては、「吐水幅」が広くなる回転位置と、狭くなる回転位置と、において、対応する係合部と被係合部とを係合させ、吐水ヘッドの使用勝手を更に向上させることを意図している。
【００２９】
例えば、「吐水幅」が広くなる回転位置と、狭くなる回転位置とにおいて、対応する係合部及び被係合部の係合を利用して、ヘッド本体と可動部材とを固定する態様を採用することによって、吐水ヘッドの使用勝手を更に向上させることができる。若しくは、対応する係合部と被係合部との係合態様を、弾性係合とすることによっても、吐水ヘッドの使用勝手を更に向上させることができる。尚、請求項５の発明においても、対応する「被係合部材及び係合部の係合」を、可動部材の回転位置の位置固定をすることと、クリック感を得ることの双方のために用いてもよい。
【００３０】
請求項６の発明の吐水ヘッドは、請求項１乃至請求項５の何れかに記載の吐水ヘッドにおいて、
前記ヘッド本体において前記通水流路の端末部を構成する部位には、取付用端面部が設けられ、該取付用端面部からは、前記吐水フェースの回転軸心と軸心を一致させた軸部が突出し、
前記可動部材は、
後面部を前記取付用端面部に対向させ、軸挿通部に前記軸部を挿通させつつ、前記軸部によって回転可能な状態に支持される基体部材と、該基体部材に対して該基体部材の前面部の側から装着される前記吐水フェースと、
を備え、
前記軸部において前記軸挿通部の前方に突出する部位には、抜け止め部材が装着されると共に、
前記後面部の所定の部位には、装着孔が開口し、前記吐水フェースにおいて前記装着孔と位置合わせされる箇所には被螺着部が設けられ、所定の雄ネジ部材の雄ネジ部を、前記後面部の後方から、前記装着孔を介して前記被螺着部に螺着しすることによって、前記吐水フェースが前記基体部材に対して固定され、
前記取付用端面部において、前記吐水フェースの回転軸心に直交する一の方向に沿った第１の幅が、前記吐水フェースの回転軸心に直交する他の方向に沿った第２の幅のよりも大きくされ、
前記装着孔と吐水フェースの回転軸心との距離が、前記第２の幅よりも大きく、前記第１の幅よりも小さくされることを特徴とする。
【００３１】
ここで、請求項６の発明では、「可動部材において、取付用端面部に近接する方向」、つまり、「湯水の通過方向に沿った１次側に位置する方向」を「後方」と定義し、「可動部材において、取付用端面部から離間する方向」、つまり、「湯水が吐水される方向」を「前方」と定義する。そして、この請求項６の発明によると、「可動部材のヘッド本体への着脱」を容易なものとしつつも、吐水ヘッドの美観を確保することが容易である。
【００３２】
例えば、請求項６の発明の吐水ヘッドにおいては、以下の手順により、「可動部材のヘッド本体への着脱」を行うことができる。つまり、基体部材の後面部を取付用端面部に対向させつつ、軸挿通部に軸部を挿通させると、基体部材は、軸部によって回転可能な状態に支持される。この後、軸部において軸挿通部の前方に突出する部位（例えば、軸部の突端部側の外周面）に、抜け止め部材を装着すると、軸部が軸挿通部の後方に抜け出ること（換言すると、軸挿通部が、軸部の前方に移動し、軸部が軸挿通部の後方に抜け出た状態になること）が防止される。そして、基体部材に吐水フェースに装着した後、基体部材の回転位置を所定の位置（以下、「装着用の回転位置」という。）とし、装着孔を、「吐水フェースの回転軸心に直交する他の方向」に沿って配置する。但し、基体部材の回転位置を「装着用の回転位置」とした後、基体部材に吐水フェースに装着してもよい。
【００３３】
これらの場合には、装着孔が、可動部材の後方に露呈するため、可動部材の後方から雄ネジ部材を取り付けて、吐水フェースを基体部材に固定することができる。一方、吐水フェースを基体部材に固定した状態で、基体部材の回転位置を「装着用の回転位置」とし、装着孔を可動部材の後方に露呈させると、基体部材の後方（可動部材の後方）に雄ネジ部材を取り外すことができる。この後、吐水フェースから基体部材を取り外し、更に、抜け止め部材を取り外すと、基体部材をヘッド本体から取り外すことができる。
【００３４】
また、吐水フェースを基体部材に固定した状態で、可動部材の回転位置を他の位置（以下、「隠蔽用の回転位置」という。）とし、装着孔を、「吐水フェースの回転軸心に直交する一の方向」に沿って配置したとき、装着孔や雄ネジ部材の頭部が、その後方に配置されるヘッド本体（取付用端面部）によって隠蔽される。このため、吐水ヘッドの美観を、確保し易くなる。従って、請求項６の発明によると、「可動部材のヘッド本体への着脱」を容易なものとしつつも、吐水ヘッドの美観を確保することが容易である。
【００３５】
尚、請求項６の発明においては、基体部材（回動部材）の回転位置が「装着用の回転位置」にある場合よりも、基体部材（回動部材）の回転位置が「隠蔽用のの回転位置」にある場合の方が、実行頻度が高くされることが望ましい。つまり、吐水ヘッドの状態が、使用頻度の高い状態とされる場合に、この吐水ヘッドの美観が、より良好なものとされることが望ましいからである。また、請求項６の発明において、基体部材の後面部と、ヘッド本体の取付用端面部とは、所定の隙間（間隔）をおいて対向してもよいし、接触状態（摺動可能な状態）で対向してもよい。また、被螺着部には、螺着用の孔が設けられてもよい。この場合、この孔の内壁部に、「雄ネジ部材の雄ネジ部」と螺合する雌ネジ部が設けられることが望ましい。
【発明の効果】
【００３６】
以上のように、本各発明によると、使用勝手が良く、使用者に満足感を与えることができる吐水ヘッドが得られる。
【発明を実施するための最良の形態】
【００３７】
次に、本各発明に係わる「吐水ヘッド」の最良の形態（以下、「実施例」という。）を図面に従って詳細に説明する。
【００３８】
本実施例では、図１〜図１３を用いて「吐水ヘッド」の一具体例としての「シャワーヘッド１」について説明する。尚、本実施例に係る「シャワーヘッド１」は、請求項１の発明等の一具体例を示すものである。
【００３９】
このシャワーヘッド１は、浴室用の水栓（図示を省略）から流出する湯水の吐水を行うものであり、図１及び図２に示すように、ヘッド本体１０と、その端末側に着脱可能に取着された可動部材Ｋと、インナー部材５０と、固定部材６０とを備えている。
【００４０】
ヘッド本体１０は、図１に示すように、緩やかに湾曲する略筒状体を用いて構成され、「ヘッド本体１０の外縁部に沿って湾曲する内部空間」によって通水流路１１を構成している。また、ヘッド本体１０は、通水流路１１に沿った前半側（通水流路１１の一次側）に位置する把持部（グリップ部）１２と、通水流路１１に沿った後半側（通水流路１１の２次側）に位置する取付部１５と、を備える。
【００４１】
図１に示すように、ヘッド本体１０の基端部（把持部１２の基端部）によって接続部１３が構成され、この接続部１３にはシャワーホース（図示を省略）の端末部が接続される。また、図２及び図３に示すように、ヘッド本体１０の端末部側には、略円形の外周縁を備える取付面１６が設けられている。この取付面１６の中心部には開口部１６ａが設けられ、取付面１６において、この開口部１６ａを周回状に包囲する部位からは、取付筒部１７が突出している。そして、このヘッド本体１０の通水流路１１は、接続部１３の基端側に位置する開口部を、「１次側の端部（入口部）」とし、取付筒部１７の端末側に位置する開口部を、「２次側の端部（出口部）」として構成されている。
【００４２】
図２及び図３に示すように、取付筒部１７の外周部のうちで、基端側（取付面１６に近接する側）に位置する部位には周回溝１７ａが設けられ、この周回溝１７ａには、シール部材（パッキン）Ｐが装着されている。また、取付筒部１７の外周部のうちで、突端側（取付面１６に離間する側）に位置する部位には雄ネジ部１７ｂが設けられている。尚、図３においては、シール部材（パッキン）Ｐの図示を省略している。
【００４３】
可動部材Ｋは、図１及び図２に示すように、基体部材２０と、シャワーフェース３０と、を備えている。このうち、基体部材２０は、図３〜図５に示すように、底部２１に取付孔２４を貫通状に備える略容器状体を用いて構成されている。つまり、この基体部材２０は、略楕円形の平面形状を備える底部２１と、底部２１の表面部２１ａの周縁から突出する周壁部２５と、を備えている。
【００４４】
底部２１の中心部には、略円形の開口形状を備える取付孔２４が貫通状に設けられている。この取付孔２４は、シール部材（パッキン）Ｐが装着された取付筒部１７を摺動状態で挿入可能なサイズとされている。また、底部２１の表面部２１ａにおいて、取付孔２４を周回する部位には、底部２１の他の部位に比べて段差状に凹む、凹部２２が設けられている。この凹部２２は、略リング型の平面形状を備えている。
【００４５】
凹部２２において、取付孔２４を挟んで、底部２１の長軸方向に対向する、２箇所には、位置決め手段２２Ａが設けられている。これらの位置決め手段２２Ａは、取付孔２４に近接する位置に設けられた位置決め突起２２ａと、取付孔２４と離間近接する位置に設けられた位置決め穴部２２ｂとを備えている。また、周壁部２５の突端部は、周壁部２５の内周部の側に下る段差部２５ａとされている。
【００４６】
シャワーフェース３０は、図６及び図７を用いて示されるように、平面形状が略楕円形の板状体を用いて構成されるフェース本体３１と、フェース本体３１の裏面部３１ｂから周回状に突出する挿入突起３２と、を備えている。このうち、フェース本体３１は、裏面部３１ｂを、シャワーフェース３０の中心部３０Ｔ（フェース本体３１の中心部と一致する。）に向かって、なだらかな下り傾斜となる凹部とし、表面部３１ａを、シャワーフェース３０の中心部３０Ｔに向かって、なだらかな上がり傾斜となる突部としている。このシャワーフェース３０は、基体部材２０と一体となりつつ、「中心部３０Ｔを略垂直に通過する回転軸心Ｒ（後述する。）」を中心に回転可能とされている。また、フェース本体３１の中心部（つまり、シャワーフェース３０の中心部３０Ｔ）には、「フェース本体３１の表面部３１ａ及び裏面部３１ｂを貫通する状態」の固定孔３１ｃを備えている。尚、固定孔３１ｃにおいて、表面部３１ａ側に位置する入口部３１ｔは、表面部３１ａに近接するに従って内径を徐々に拡大するテーパ状とされている。
【００４７】
図６に示すように、フェース本体３１（シャワーフェース３０）には、形成領域Ｎが設定されている。この形成領域Ｎは、フェース本体３１（シャワーフェース３０）において、「吐水孔３５」が分布状に形成される領域である。そして、「形成領域Ｎの略楕円状の外縁部Ｍ」は、「フェース本体３１の略楕円状の外縁部Ｌ（シャワーフェース３０の外縁部と一致）」の内側に配設されている。この形成領域Ｎの外縁部Ｍと、フェース本体３１の外縁部Ｌとの距離は、フェース本体３１の外縁部Ｌを周回する方向に沿って略一定に保たれている。そして、「形成領域Ｎの長軸Ｘ１の方向に沿った幅ｄ１（つまり、回転軸心Ｒに直交する一の方向沿った幅の具体例を示す。）」は、「形成領域Ｎの短軸Ｙ１の方向に沿った幅ｄ２（つまり、回転軸心Ｒに直交する他の方向沿った幅の具体例を示す。）」よりも大きくされている。
【００４８】
このフェース本体３１においては、この外縁部Ｍの以内の部位（つまり、オンラインを含む部位）に、多数の「吐水孔３５」が分布状に形成されている。この吐水孔３５は、フェース本体３１の形成領域Ｎ内において、図７に示すように、「フェース本体３１の表面部３１ａ及び裏面部３１ｂを貫通する状態」に、多数、設けられている。この吐水孔３５は、シャワーフェース３０の中心部３０Ｔ（フェース本体３１の中心部）を基準に、シャワーフェース３０の外縁部Ｌに向かって略等間隔に設けられている。尚、シャワーフェース３０の長軸Ｘ１（フェース本体３１の長軸）上に形成される吐水孔３５の数（１２個を例示）は、シャワーフェース３０の短軸Ｙ１（フェース本体３１の短軸）上に形成される吐水孔３５の数（６個を例示）に比べて多く（２倍を例示）されている（図６を参照）。
【００４９】
挿入突起３２は、図７に示すように、フェース本体３１の裏面部３１ｂのうちで、シャワーフェース３０の周縁部３０Ｓ（フェース本体３１の周縁部と一致）に近接する部位から周回状に突出している。この挿入突起３２は、前述の段差部２５ａの内側に挿入可能なサイズとされている。尚、フェース本体３１の裏面部３１ｂであって、挿入突起３２の外側に位置する部位３１ｄは、シャワーフェース３０を基体部材２０に取り付ける際に、周壁部２５の端面２５ｈに当接する部位である。
【００５０】
インナー部材５０及び固定部材６０は、図２に示すように、ヘッド本体１０への基体部材２０の組付と、基体部材２０へのシャワーフェース３０の組付と、を行うための部材である。
【００５１】
このうち、インナー部材５０は、図８及び図９に示すように、フランジ部５１と、接続部５２と、脚部５３と、を備えている。このうち、フランジ部５１は、略リング形状に構成され、基体部材２０の凹部２２に嵌合可能なサイズとされている。つまり、フランジ部５１の外径は、「基体部材２０の凹部２２への嵌合を許容する大きさ」とされ、フランジ部５１の肉厚は、凹部２２の深さと略等しくされている。また、フランジ部５１の中心部に形成される中空部５１ｄの内径は、基体部材２０の取付孔２４の内径と略等しくされている。
【００５２】
接続部５２は、略円筒形状を備えており、フランジ部５１と同心状とされつつ、フランジ部５１の中空部５１ｄ内に配置されている。この接続部５２は、一端部を、フランジ部５１の裏面部５１ｂよりも突出させ、中間部及び他端部を、フランジ部５１の表面部５１ａよりも突出させている。そして、接続部５２の他端部側の内壁面には、雌ネジ部５２ａが設けられている。尚、接続部５２は、取付筒部１７に対して、取付筒部１７の内壁部との間に所定の空間部を形成した状態で挿入可能なサイズとされている。
【００５３】
脚部５３は、フランジ部５１と、接続部５２との間に介在されて、接続部５２をフランジ部５１に対して支持する部位である。つまり、接続部５２の軸心回りに、９０度ずつ隔てた「４箇所」に配設されている。そして、何れの脚部５３も、その一端部を、フランジ部５１の表面部５１ａに一体化し、その他端部を、接続部５２の外周部に一体化している。このため、接続部５２は、その外周部から突出する、４本の脚部５３を用いてフランジ部５１に支持された状態となっている。
【００５４】
フランジ部５１の裏面部５１ｂにおいて、フランジ部５１の軸心を挟んで対向する２箇所であって、しかも、フランジ部５１の外周縁に近接する部位からは、位置決め突起５５が突出している。また、フランジ部５１において、「この位置決め突起５５と、フランジ部５１の半径方向に沿った内側に近接する部位」が、位置決め用切り欠き部５６とされている。尚、本実施例では、フランジ部５１の軸心を挟んで対向する、一組の脚部５３の基端側に、この位置決め突起５５と、位置決め用切り欠き部５６とが形成されている。
【００５５】
固定部材６０は、図１０に示すように、ナット状に構成される本体部６１と、本体部６１の外周部から突出する、２個の支持突起６２、６２と、を備えている。このうち、本体部６１の外径は、「インナー部材５０の４本の脚部５３を結んで構成される仮想円」の半径よりも小さくされている。また、本体部６１の内壁部に形成された雌ネジ部６１ａは、前述の「取付筒部１７の雄ネジ部１７ｂ」に螺合可能とされている。
【００５６】
各支持突起６２は、本体部６１の外周部において、本体部６１の一端部側に位置する部位から、本体部６１の半径方向に沿った外方向に突出している。また、２個の支持突起６２は、本体部６１の軸心を挟んで対称な部位に設けられている。そして、両支持突起６２の突端部間の距離は、「インナー部材５０のフランジ部５１の内径」、及び、「取付孔２４の内径」よりも大きくされている。
【００５７】
次に、本シャワーヘッド１の組み立ての手順の一例を説明する。先ず、図３に示すように、ヘッド本体１０に基体部材２０を組み付ける。この組付は、ヘッド本体１０の取付面１６と、底部２１の裏面部２１ｂとを対向させ、取付孔２４に取付筒部１７を挿入することによって行われる。これにより、基体部材２０は、パッキンＰを介在させた状態で、ヘッド本体１０によって、水密状で、しかも、回動可能な状態に支持される（図１１を参照）。
【００５８】
次いで、インナー部材５０の内側に固定部材６０を挿入する（図１１の矢印Ｄを参照）。この挿入は、固定部材６０の他端部（支持突起６２が形成されていない端部）を先頭にして、フランジ部５１の裏面部５１ａの側から行われ、４本の脚部５３で囲まれた空間内に固定部材６０が到達することで完了する。
【００５９】
この状態で、図１２（ａ）及び（ｂ）に示すように、インナー部材５０のフランジ部５１を、基体部材２０の凹部２２に嵌合する。この際、インナー部材５０の位置決め突起５５が、基体部材２０の位置決め穴部２２ｂに嵌合されると同時に、基体部材２０の位置決め突起２２ａが、インナー部材５０の位置決め用切り欠き部５６に嵌合されるため｛図１２（ａ）を参照｝、インナー部材５０の基体部材２０に対する「回り止め」がなされる。そして、このように、フランジ部５１を凹部２２に嵌合すると、フランジ部５１の表面部５１ａと、基体部材２０の底部２１の表面部２１ａのうちで、取付孔２４の周囲の部位とが、略面一となる｛図１２（ｂ）を参照｝。
【００６０】
この後、インナー部材５０において、隣接する脚部５３の間から工具や、指を挿入して、固定部材６０（本体部６１）の雌ネジ部６１ａを、取付筒部１７の雄ネジ部１７ｂに螺合可能する。そして、支持突起６２で、フランジ部５１の表面部５１ａを押圧し、支持すると｛図１２（ｂ）を参照｝、ヘッド本体１０に対する可動部材Ｋの組付を完了する。これにより、基体部材２０は接続部５２の軸心回りに回転可能とされる。
【００６１】
更に、ヘッド本体１０に組み込まれた基体部材２０には、シャワーフェース３０が装着される。この装着は、フェース本体３１の裏面部３１ｂ（シャワーフェース３０の裏面部）を、底部２１の表面部２１ａに対向させて行われる。そして、周壁部２５の段差部２５ａの内側に対して、シール部材Ｑが装着された挿入突起３２を水密状に挿入し、「フェース本体３１の裏面部３１ｂであって、挿入突起３２の外側に位置する部位３１ｄ」を、周壁部２５の端面２５ｈに当接させることで完了する（図２を参照）。
【００６２】
この後、フェース本体３１の表面部３１ａの側から、フェース本体３１の固定孔３１ｃを通じて、ビス７０の軸部を、接続部５２の雌ネジ部５２ａに螺合する（図２を参照）。そして、ビス７０の軸部の頭部を、固定孔３１ｃの入口部３１ｔのテーパ状の内壁面に当接させると、シャワーヘッド１は、使用可能な状態となる。
【００６３】
以上のシャワーヘッド１は、図１３に示すように、可動部材Ｋを、シャワーフェース３０の軸心Ｒ｛図７（ａ）及び（ｂ）を参照｝を回転軸心としつつ、回転させることができる。そして、（ａ）シャワーフェース３０の長軸Ｘ１を鉛直方向に向ける使用態様（実線Ｇ１を参照、以下、「第１の態様」という。）や、（ｂ）シャワーフェース３０の長軸Ｘ１を水平方向に向ける使用態様（一点鎖線Ｇ２を参照、以下、「第２の態様」という。）で用いることができる。
【００６４】
シャワーヘッド１の使用態様が「第１の態様」である場合、形成領域Ｎの幅が横方向に狭くなるため（符号ｄ２を参照）、一般的なシャワーヘッド１（吐水範囲が狭い、通常のシャワーを行うシャワーヘッド）等として使用できる。また、シャワーヘッド１の使用態様が「第２の態様」である場合、形成領域Ｎの幅が横方向に広くなるため（符号ｄ１を参照）、特別なシャワーヘッド１（吐水範囲が広い、シャワーを行うシャワーヘッド）として使用できる。例えば、「シャワー入浴」の際に、使用者は、自身の体において幅方向に広範な部位（肩幅全体等）に対して、一度に（シャワーヘッド１を固定した状態）で、シャワーを当てることができる。このため、使用者は、快適なシャワー入浴を行うことができる。特に、冬季等の寒い時期も、十分暖まった状態で、シャワー入浴を行うことができる点で大きな意義を有している。
【００６５】
よって、本シャワーヘッド１を、「通常のシャワーを行うシャワーヘッド」としてのみならず、「シャワー入浴型のシャワーヘッド」としても兼用できる。つまり、本シャワーヘッド１は、「新しいコンセプトのシャワーヘッド」として使用することができる。
【００６６】
更に、本シャワーヘッド１においては、シャワーヘッド１の回転位置（例えば、長軸Ｘ１の回転角度）を、３６０度、無段階に選択することができる。このため、例えば、子供との入浴の際に、シャワーヘッド１の回転位置を適宜、変更しつつ、遊び感覚で入浴することもできる。
【００６７】
以上のように、本実施例のシャワーヘッド１によると、可動部材Ｋの回転量を選択することで、形成範囲Ｎの横幅を変更することができる。よって、可動部材Ｋの回転量を選択することで、吐水幅を選択することができるため、使用勝手が良く、使用者に満足感を与えることができる。
【００６８】
尚、本各発明の範囲は前記各実施例に示す具体的な態様に限定されず、本各発明の範囲内で種々の変形例を例示できる。
【００６９】
即ち、本実施例とは異なり、シャワーヘッドの回転位置に制限を設けてもよい。「可動部材Ｋの回転を停止できる回転停止位置を、９０度間隔で設定し、この回転停止位置以外では、可動部材Ｋの回転を停止できない態様（停止し辛い態様でもよい。）」、「可動部材Ｋの回転を停止できる回転停止位置を、４５度間隔、若しくは、３０度間隔で設定し、この回転停止位置以外では、可動部材Ｋの回転を停止できない態様（停止し辛い態様でもよい。）」等とすることもできる。この場合、回転停止位置において、ヘッド本体の被係合部と、可動部材Ｋの係合部とを係合させることとする。そして、被係合部に係合部が係合する際に使用者の手が感ずる手感触（クリック感）によって、「可動部材Ｋが回転停止位置に到達したこと」を使用者に対して伝達することが有効である。
【００７０】
また、各請求項の発明では、例えば、シャワーフェース３０と、ヘッド本体１０とをデザイン上一体とせず、シャワーフェース３０と、ヘッド本体１０との各々に役目を持たせることもできる。
【００７１】
また、シャワーフェース３０の平面形状は楕円形状に限定されない。例えば、図１４の変形例（以下、「変形例１」という。）に示すように、矩形状や、長円状（図示を省略）等であってもよい。また、図１４に示すように、シャワーフェース３０の形成領域Ｎを、所定の間隔をおいて配置される複数の領域部Ｎ１、Ｎ２によって構成してもよい。この場合、複数の領域部Ｎ１、Ｎ２を、シャワーフェース３０の長軸方向に配設すると、シャワーフェース３０の長軸方向に沿って並ぶ吐水孔３５の数と、短軸方向に沿って並ぶ吐水孔３５の数とが異なることになる。よって、この変形例１においても、シャワーヘッド１を、シャワーフェース３０の長軸方向を縦方向に向けて使用する場合と、シャワーフェース３０の長軸方向を横方向に向けて使用する場合と、で異なる吐水幅を得ることができる。
【００７２】
また、シャワーフェース３０の平面形状を「真円形」等の対称性の高い形状としつつも、使用勝手が良く、使用者に満足感を与えることができる吐水ヘッドが得られる。例えば、図１５（ａ）の変形例２に示すように、シャワーフェース３０の平面形状が「真円形」等であっても、「形成領域Ｎにおけるシャワーフェース３０回転軸心Ｖに直交する一の方向に沿った幅Ｆ１」と、「シャワーフェース３０における回転軸心Ｖに直交する他の方向に沿った幅Ｆ２」と、が異なるようにすれば、実施例と同様に、シャワーヘッド１の使用勝手を向上させることができる。
【００７３】
若しくは、シャワーフェース３０の平面形状が円形であっても、図１４（ｂ）の変形例３に示すように、「シャワーフェースの回転軸心に直交する一の方向に沿って回転軸心から第１の距離だけ隔てた部位に存在する吐水孔３５ｐの経路方向Ｊ１と、シャワーフェースの回転軸心と、が形成する角度（傾斜角）」と、「シャワーフェースの回転軸心に直交する他の方向に沿って回転軸心から第１の距離だけ隔てた部位に存在する吐水孔３５ｑの経路方向Ｊ２と、シャワーフェースの回転軸心と、が形成する角度（傾斜角）」と、が異なっている場合等も、実施例と同様に、シャワーヘッド１の使用勝手を向上させることができる。
【００７４】
更に、本実施例では、インナー部材５０を用いて、回動部材Ｋをヘッド本体１０に対して回転可能な状態で支持する態様（を例示したが、回動部材Ｋの支持構造はこれに限定されない。例えば、（１）回動部材Ｋが、ヘッド本体１０によって直接、回転可能な状態に支持されてもよいし、（２）他の態様の支持部材を回動部材Ｋ及びヘッド本体１０の間に介在させてもよい。例えば、回動部材Ｋ及びヘッド本体１０のうちの一方に回転軸部を設け、回動部材Ｋ及びヘッド本体１０のうちの他方に、この回転軸部を回転可能な状態に支持する軸受け部を設けてもよい。より具体的には、（ａ）回動部材Ｋに、後方に（ヘッド本体１０側に）突出する軸部（つまり、回転軸部）を設け、ヘッド本体１０に軸挿通部（つまり、軸受け部）を設け、この軸部を、軸挿通部の前端部から軸挿通部に挿通すると共に、軸部のうちで、軸挿通部の後端部から突出する部位に抜け止め用部材（例えば、Ｃリング、Ｅリング等の止め輪）を装着する態様（以下、「第１の別態様」という。）を例示できる。また、（ｂ）ヘッド本体１０に、前方に（ヘッド本体１０から離間する側に）突出する軸部（つまり、回転軸部）を設け、回動部材Ｋに軸挿通部（つまり、軸受け部）を設け、この軸部を、軸挿通部の後端部から軸挿通部に挿通すると共に、軸部のうちで、軸挿通部の前端部から突出する部位に抜け止め用部材（例えば、Ｃリング、Ｅリング等の止め輪）を装着する態様（以下、「第２の別態様」という。）を例示することもできる。尚、「第２の別態様」の「更に詳細な具体例」に関しては、「別の実施例（以下、「実施例２」という。）」として後述する。
【００７５】
また、本実施例では、通水流路１１を、「ヘッド本体１０の内部空間」によって構成したが、この通水流路１１をヘッド本体１０と別部材によって構成してもよい。例えば、ヘッド本体１０の内部空間に流路形成用の部材（例えば、筒状体）や、ホース等の配管部材を挿入して、この通水流路１１を形成することもできる。
【００７６】
更に、本実施例では、基体部材２０と、シャワーフェース３０と、を備える可動部材Ｋを例示したが、可動部材Ｋを、シャワーフェース３０のみで構成してもよい。この場合、シャワーフェース３０がヘッド本体１０に対して、直接、若しくは、所定の支持部材を介して回転可能な状態で支持される。
【００７７】
次に、「実施例２」について説明する。この実施例２においても、「吐水ヘッド」の一具体例としての「シャワーヘッド１Ａ」について説明する。尚、実施例２に係る「シャワーヘッド１Ａ」は、前述の「第２の別態様」の更に具体的な内容を示すものである。
【００７８】
このシャワーヘッド１Ａも、前述の実施例（以下、「実施例１」ということがある。）に係るシャワーヘッド１と同様、浴室用の水栓（図示を省略）から流出する湯水の吐水を行うものである。そして、このシャワーヘッド１Ａは、図１６及び図１７に示すように、ヘッド本体１１０と、その端末側に着脱可能に取着された可動部材１００Ｋと、抜け止め部材１５０と、雄ネジ部材１６０とを備えている。
【００７９】
このヘッド本体１１０は、図１６に示すように、前述のヘッド本体１０と同様な構成を備えている。つまり、このヘッド本体１１０も、緩やかに湾曲する略筒状体を用いて構成され、「ヘッド本体１１０の外縁部に沿って湾曲する内部空間」によって通水流路１１１を構成している。また、ヘッド本体１１０も、通水流路１１１に沿った前半側（通水流路１１の一次側）に位置する把持部（グリップ部）１１２と、通水流路１１１に沿った後半側（通水流路１１の２次側）に位置する取付部１１５と、を備える。
【００８０】
また、図１６に示すように、このヘッド本体１１０の基端部（把持部１１２の基端部）によっても、接続部１１３が構成され、この接続部１１３にはシャワーホース（図示を省略）の端末部が接続される。また、図１７に示すように、ヘッド本体１１０の端末部側には、略楕円形の外周縁を備える取付面１１６が設けられている。この取付面１１６は、「取付用端面部」の具体例を構成する。また、取付面１１６の長手幅は、請求項６の発明の「第１の幅」の具体例を示し、取付面１１６の短手幅は、請求項６の発明の「第２の幅」の具体例を示す。尚、実施例２では、「取付用端面部」の長手方向と、シャワーフェース１３０の長手方向とを一致させ、「取付用端面部」の短手方向と、シャワーフェース１３０の短手方向とを一致させる態様を例示したが、請求項６の発明等においては、これらの方向が不一致とされてもよい。例えば、「取付用端面部」の長手方向が、シャワーフェース１３０の短手方向とが一致し、「取付用端面部」の短手方向と、シャワーフェース１３０の長手方向とが一致してもよいし、「取付用端面部」の長手方向及び短手方向の各々が、シャワーフェース１３０の長手方向及び短手方向の何れとも、異なる方向とされてもよい。
【００８１】
図１７に示すように、取付面１１６の中心部には開口部１１６ａが設けられ、取付面１１６において、この開口部１１６ａを周回状に包囲する部位からは、取付筒部１１７が突出している。そして、このヘッド本体１１０の通水流路１１１は、接続部１１３の基端側に位置する開口部を、「１次側の端部（入口部）」とし、取付筒部１１７の端末側に位置する開口部を、「２次側の端部（出口部）」として構成されている。この取付筒部１１７は、請求項６の発明の「軸部」の具体例を構成する。尚、本実施例では、軸部の筒状に構成し、その内部空間を用いて通水路（通水流路１１１の端末部）を構成したが、前述の「第１の別態様」、「第２の別態様」、請求項６の発明等においては、「軸部（軸部の内部空間）によって通水路を構成しない構成」とすることもできる。
【００８２】
図１７に示すように、取付筒部１１７は、取付面１１６側に近接する大径部１１７ａと、中間側及び突端側に位置し、基端部１１７ａよりも外径が段差状に小さくされた小径部１１７ｂとを備えている。また、大径部１１７ａ及び小径部１１７ｂの境界には、取付筒部１１７の突端側を指向し、略リング状とされ支持面１１７ｃが設けられている。また、小径部１１７ｂの外周部のうちで、小径部１１７ｂの突端側（取付筒部１１７の突端側）に位置する部位には、周回溝１１７ｄが設けられている。
【００８３】
図１７に示すように、小径部１１７ｂの外周部には、シール部材（パッキン）１００Ｐが装着されている。つまり、小径部１１７ｂの外周部において、周回溝１１７ｄよりも、「小径部１１７ｂの基端側」に位置する部位には、シール部材（パッキン）１００Ｐが装着されている。尚、このシール部材（パッキン）１００Ｐは、前述の支持面１１７ｃに当接する。また、「小径部１１７ｂに装着されたときのシール部材（パッキン）１００Ｐの外径」は、大径部１１７ａの外径よりも若干、大きくなる。更に、実施例２においては、このシール部材（パッキン）１００Ｐとして、所謂「Ｘ（エックスパッキン）」を用いている。
【００８４】
可動部材１００Ｋは、図１６及び図１７に示すように、基体部材１２０と、シャワーフェース１３０と、を備えている。このうち、基体部材１２０は、図１８及び図１９に示すように、底部１２１に取付孔１２４を貫通状に備える略容器状体を用いて構成されている。つまり、この基体部材１２０は、略楕円形の平面形状を備える底部１２１と、底部１２１の表面部（使用時に、使用者の側を向く面部であって、前面部である。）１２１ａの周縁から突出する周壁部１２５と、を備えている。
【００８５】
図１８に示すように、基体部材１２０は、底部１２１の裏面部１２１ｂを取付面１１６に対向させつつ（僅かな隙間を挟んだ状態で対向させつつ）、ヘッド本体１１０に装着される（図１７を参照）。つまり、この「底部１２１の裏面部１２１ｂ」が、「基体部材１２０の後面部」を構成する。
【００８６】
図１８及び図１９に示すように、取付孔１２４は、底部１２１の中心部において貫通状に設けられ、略円形の開口形状を備えている。この取付孔１２４は、底部１２１の表面部１２１ａにおいて、取付孔１２４を周回状に包囲する部位からは、軸挿通部１２８が立ち上げられている。この軸挿通部１２８は、略円筒状の外形を備えている。また、軸挿通部１２８の突端部には、軸挿通部１２８の軸心方向に突出する（半径内側方向に鍔状に突出する）鍔部１２８ａが設けられている。また、取付孔１２４のサイズと、軸挿通部１２８の内部空間のサイズは、「シール部材（パッキン）１００Ｐが装着された小径部１１７ｂ」、及び、大径部１１７ａを摺動状態で挿入可能なサイズとされている。また、鍔部１２８ａの内径は、「シール部材（パッキン）１００Ｐが装着されていない小径部１１７ｂ」を挿入可能であるが、「シール部材（パッキン）１００Ｐが装着された小径部１１７ｂ」を挿入不可能なサイズとされている。更に、軸挿通部１２８の軸心方向に沿った長さは、「取付面１１６と周回溝１１７ｄとの距離」と略等しくされている。
【００８７】
図１９に示すように、底部１２１の長軸Ｃ１の方向（可動部材１００Ｋの長軸方向でもある。）に沿った２カ所には、装着孔１２６、１２６が設けられている。つまり、これらの装着孔１２６は、取付孔１２４の中心部１２４Ｔから長軸Ｃ１の方向に沿って同一の距離Ｅ１にある２個所、換言すると、「シャワーフェース１３０の中心部１３０Ｔを略垂直に通過する回転軸心Ｒ１から長軸Ｃ１の方向に沿って同一の距離Ｅ１にある２個所」に設けられている。これらの装着孔１２６、１２６は、底部１２１を肉厚方向に貫通し、底部１２１の表面部１２１ａ及び裏面部１２１ｂにおいて開口している。
【００８８】
図１９に示すように、各装着孔１２６、１２６と、取付孔１２４の中心部１２４Ｔとの距離Ｅ１は、底部１２１の短軸Ｃ２の方向に沿った幅Ｅ２｛図１８（ｂ）を参照｝よりも大きくされている。また、装着孔１２６、１２６の内径は、底部１２１の裏面部１２１ｂから表面部１２１ａに向かって徐々に狭くなるようにされた後、表面部１２１ａに近接する部位において一定とされている。つまり、装着孔１２６、１２６は、裏面部１２１ｂ側に、空間形状が略円錐台形の「受圧部」１２６ａを備えている。更に、底部１２１の表面部１２１ａにおいて、各装着孔１２６、１２６を周回状に包囲する個所からは、位置決め用の筒状部１２７、１２７が突出している。これらの筒状部１２７、１２７は、略円筒状に構成されている。また、周壁部１２５の突端部側には、周壁部１２５の内周部の側に下る段差部１２５ａが設けられている。
【００８９】
図２０及び図２１に示すように、シャワーフェース１３０は、前述のシャワーフェース３０と同様な構成を備えている。つまり、このシャワーフェース１３０は、平面形状が略楕円形の板状体を用いて構成されるフェース本体１３１と、フェース本体１３１の裏面部１３１ｂから周回状に突出する挿入突起１３２と、を備えている。このうち、フェース本体１３１は、裏面部１３１ｂを、シャワーフェース１３０の中心部１３０Ｔ（フェース本体１３１の中心部と一致する。）に向かって、なだらかな下り傾斜となる凹部とし、表面部１３１ａを、シャワーフェース１３０の中心部１３０Ｔに向かって、なだらかな上がり傾斜となる突部としている。
【００９０】
シャワーフェース１３０は、基体部材１２０と一体となりつつ、「中心部１３０Ｔを略垂直に通過する回転軸心Ｒ１（図２１を参照）」を中心に回転可能とされている。また、シャワーフェース１３０の裏面部１３１ｂにおいて、その長軸Ｘ１の方向に沿った２カ所からは、２個の取付用の突出部１３８、１３８が突出している。これらの突出部１３８、１３８は、「被螺着部」の具体例を構成すると共に、シャワーフェース１３０の中心部１３０Ｔから長軸Ｘ１の方向に沿って同一の距離Ｊ１にある２個所に設けられている。これらの突出部１３８、１３８は、前述の筒状部１２７、１２７に嵌合可能な略円筒状に構成されると共に、内壁部に雌ネジ部１３８ａが設けられている。そして、両突出部１３８、１３８の軸心間の距離は、筒状部１２７、１２７の軸心間の距離（両装着孔１２６、１２６間の距離）と等しくされている。つまり、「Ｊ１」と、「Ｅ１」とが等しくされている。
【００９１】
フェース本体１３１（シャワーフェース１３０）は、前述のフェース本体３１（シャワーフェース３０）と同様な構成を備えている。つまり、図２０に示すように、フェース本体１３１（シャワーフェース１３０）にも、形成領域Ｎが設定されている。この形成領域Ｎは、フェース本体１３１（シャワーフェース１３０）において、「吐水孔１３５」が分布状に形成される領域である。そして、「形成領域Ｎの略楕円状の外縁部Ｍ」は、「フェース本体１３１の略楕円状の外縁部Ｌ（シャワーフェース３０の外縁部と一致）」の内側に配設されている。この形成領域Ｎの外縁部Ｍと、フェース本体１３１の外縁部Ｌとの距離は、フェース本体１３１の外縁部Ｌを周回する方向に沿って略一定に保たれている。そして、「形成領域Ｎの長軸Ｘ１の方向に沿った幅ｄ１（つまり、回転軸心Ｒ１に直交する一の方向沿った幅の具体例を示す。）」は、「形成領域Ｎの短軸Ｙ１の方向に沿った幅ｄ２（つまり、回転軸心Ｒ１に直交する他の方向沿った幅の具体例を示す。）」よりも大きくされている。
【００９２】
このフェース本体１３１においては、この外縁部Ｍの以内の部位（つまり、オンラインを含む部位）に、多数の「吐水孔１３５」が分布状に形成されている。この吐水孔１３５は、フェース本体１３１の形成領域Ｎ内において、図２１等に示すように、「フェース本体１３１の表面部１３１ａ及び裏面部１３１ｂを貫通する状態」に、多数、設けられている。この吐水孔１３５は、シャワーフェース１３０の中心部１３０Ｔ（フェース本体１３１の中心部）を基準に、シャワーフェース１３０の外縁部Ｌに向かって略等間隔に設けられている。尚、シャワーフェース１３０の長軸Ｘ１（フェース本体１３１の長軸）上に形成される吐水孔１３５の数（１２個を例示）は、シャワーフェース１３０の短軸Ｙ１（フェース本体１３１の短軸）上に形成される吐水孔１３５の数（６個を例示）に比べて多く（２倍を例示）されている（図２０を参照）。
【００９３】
尚、シャワーフェース１３０（フェース本体１３１）の表面部１３０ａを説明するための「図２０」において、円形の破線Ｖ１、Ｖ２で示す部分は、「シャワーフェース１３０（フェース本体１３１）の裏面部１３０ｂに形成された突出部１３８、１３８」の外周部を示す「隠れ線」である。つまり、突出部１３８、１３８」は、シャワーフェース１３０（フェース本体１３１）の表面部１３０ａに露呈することはない。また、シャワーフェース１３０（フェース本体１３１）において、これらの突出部１３８、１３８の形成箇所に、吐水孔１３５は形成されていない。
【００９４】
挿入突起１３２は、図２１に示すように、フェース本体１３１の裏面部１３１ｂのうちで、シャワーフェース１３０の周縁部１３０ｓ（フェース本体１３１の周縁部と一致）に近接する部位から周回状に突出している。この挿入突起１３２は、前述の段差部１２５ａの内側に挿入可能なサイズとされている。尚、フェース本体１３１の裏面部１３１ｂであって、挿入突起１３２の外側に位置する部位１３１ｄは、シャワーフェース１３０を基体部材１２０に取り付ける際に、周壁部１２５の端面１２５ｈに当接する部位である（図１７を参照）。
【００９５】
図１７に示すように、抜け止め部材１５０は、前述の「周回溝１１７ｄ」に装着可能な止め輪（所謂、Ｃリングと称する止め輪）によって構成されている。また、雄ネジ部材１６０は、図１７に示すように、前述の「筒状部１３８、１３８の雌ネジ部１３８ａ」に螺合可能な軸部１６１と、前述の受圧部１２６ａに嵌合可能な頭部１６２とを備えている。つまり、この頭部１６２は、軸部１６１の側に向かって外径が徐々に小さくなる「略円錐台形状」とされている。
【００９６】
次に、実施例２のシャワーヘッド１Ａの組み立ての手順の一例を説明する。この組み立てにおいては、先ず、図２２に示すように、ヘッド本体１１０に基体部材１２０が組み付けられる。この組付は、ヘッド本体１１０の取付面１１６と、底部１２１の裏面部１２１ｂとを対向させ、取付孔１２４及び軸挿通部１２８に取付筒部１１７を挿通させることによって行われる。この挿通に先立ち、シール部材（パッキン）１００Ｐが小径部１１７ｂに装着される。また、この挿通は、底部１２１の裏面部１２１ｂを、取付面１１６に当接、若しくは近接させることによって完了する。この挿通により、取付筒部１１７において、周回溝１１７ｄよりも突端側の部位が、軸挿通部１２８の突端部から突出する状態とされる。
【００９７】
また、この挿通により、基体部材１２０は、パッキン１００Ｐを介在させた状態で、取付筒部１１７によって、水密状で、しかも、回動可能な状態に支持される。この後、周回溝１１７ｄに抜け止め部材１５０が装着される。この抜け止め部材１５０の外径が軸挿通部１２８の内径よりも大きくされるため、この抜け止め部材１５０によって、取付筒部１１７が、軸挿通部１２８の後方に抜け出ることが防止される。つまり、軸挿通部１２８が、取付筒部１１７を基準に前方に移動し、取付筒部１１７が、軸挿通部１２８から抜け出た状態となることが防止される。
【００９８】
次いで、ヘッド本体１１０に組み込まれた基体部材１２０には、シャワーフェース１３０が装着される。この装着は、図２２に示すように、フェース本体１３１の裏面部１３１ｂ（シャワーフェース１３０の裏面部）を、底部１２１の表面部１２１ａに対向させて行われる。この際、事前に、挿入突起１３２の外周部にシール部材１００Ｑが装着される。そして、図２３に示すように、周壁部１２５の段差部１２５ａの内側に対して、シール部材１００Ｑが装着された挿入突起１３２を水密状に挿入し、「フェース本体１３１の裏面部１３１ｂであって、挿入突起１３２の外側に位置する部位１３１ｄ」を、周壁部１２５の端面１２５ｈに当接させる。また、シール部材（パッキン）１００Ｐは、支持面１１７ｃと、鍔部１２８ａ（鍔部１２８ａにおいて、支持面１１７ｃと対向する略リング状の面）とで挟持される。このとき、各突出部１３８、１３８は、対応する（対向配置される）筒状部１２７、１２７に嵌合する。そして、各装着孔１２６、１２６は、対応する突出部１３８、１３８の内部空間（雌ネジ部１３８ａ）と、シャワーフェース１３０の着脱方向に沿って位置合わせされる。
【００９９】
この後、雄ネジ部材１６０を用いて、シャワーフェース１３０及び基体部材１２０を固定することで、シャワーヘッド１Ａの組み立てを完了する。但し、この固定作業の際には、シャワーフェース１３０及び基体部材１２０を、取付筒部１１７を基準に適宜、回転し、底部１２１の長軸Ｃ１の方向と、シャワーフェース１３０の長軸Ｘ１の方向とが重なり合わないようにする。例えば、図２３に示すように、底部１２１の長軸Ｃ１の方向に沿って、シャワーフェース１３０の短軸Ｙ１の方向が配置されるようにする（「装着用の回転位置」の具体例を示す。）。これにより、各装着孔１２６、１２６が、基体部材１２０の後方に向かって露呈することになる。
【０１００】
そして、このように、基体部材１２０の後方に露呈する各装着孔１２６、１２６に対して、底部１２１の裏面部１２１ｂの側から（つまり、基体部材１２０の後面部の後方から）、雄ネジ部材１６０の軸部１６１を挿通し、この軸部１６１を、対応する「突出部１３８、１３８の雌ネジ部１３８ａ」に螺合する。これにより、雄ネジ部材１６０の頭部１６２が、受圧部１２６ａに嵌合すると共に、この頭部１６２が、受圧部１２６ａ（装着孔１２６）の内壁部を、シャワーフェース１３０の方向に押圧するため、シャワーフェース１３０及び基体部材１２０は固定状態となる。
【０１０１】
また、このように、シャワーフェース１３０及び基体部材１２０を固定した後、シャワーフェース１３０及び基体部材１２０を、取付筒部１１７を基準に適宜、回転し、底部１２１の短軸Ｃ２の方向と、シャワーフェース１３０の長軸Ｘ１の方向とを一致させると（「隠蔽用の回転位置」の具体例を示す。）、装着孔１２６及び雄ネジ部材１６０（頭部１６２）は、底部１２１の表面部１２１ａと対向する位置に移動する。このため、装着孔１２６及び雄ネジ部材１６０（頭部１６２）は、ヘッド本体１１０によって隠蔽された状態となる。
【０１０２】
このシャワーヘッド１Ａを、そのメンテナンス等のために分解する際には、先ず、シャワーフェース１３０及び基体部材１２０を、取付筒部１１７を基準に適宜、回転し、底部１２１の長軸Ｃ１の方向と、シャワーフェース１３０の長軸Ｘ１の方向とが重なり合わないようにする（「装着用の回転位置」の具体例を示す。）。例えば、底部１２１の長軸Ｃ１の方向に沿って、シャワーフェース１３０の短軸Ｙ１の方向が配置されるようにする。これにより、各装着孔１２６、１２６及び雄ネジ部材１６０（頭部１６２）が、基体部材１２０の後方に向かって露呈させ、この雄ネジ部材１６０を、基体部材１２０の後方に取り外し、シャワーフェース１３０を基体部材１２０から分離する。この後、抜け止め部材１５０を取り外すと、基体部材１２０を、ヘッド本体１１０から分離することができる。
【０１０３】
このシャワーヘッド１Ａにおいても、実施例１のシャワーヘッド１と同様に、「第１の態様」と、「第２の態様」とで用いることができる（図１３を参照）。即ち、実施例２のシャワーヘッド１Ａによっても、可動部材１００Ｋの回転量を選択することで、形成範囲Ｎの横幅を変更し、吐水幅を選択することができるため、使用勝手が良く、使用者に満足感を与えることができる。しかも、実施例２のシャワーヘッド１Ａによると、以下の効果を得ることもできる。つまり、実施例２のシャワーヘッド１Ａでは、「相対的に回転する部材間に構成される接続部分（連結部分）」において、「ネジ止め」を使用しないため、「シャワーヘッド１Ａの使用勝手が更に向上する」という、効果を得ることができる。
【０１０４】
具体的には、「相対的に回転する部材間に構成される接続部分」、つまり、ヘッド本体１１０と可動部材１００Ｋとの間の接続部分が、以下の構成を備える。即ち、ヘッド本体１１０に設けられた取付筒部（軸部）１１７を、可動部材１００Ｋに設けられた軸挿通部１２８に挿通すると共に、この取付筒部（軸部）１１７において、軸挿通部１２８の前方に突出する部位に、抜け止め部材１５０を装着する。これにより、「取付筒部（軸部）１１７の抜け止め（軸挿通部１２８からの抜け止め）」を図っている。換言すると、軸部（取付筒部１１７）と、この軸部（取付筒部１１７）を挿通しつつ、この軸部（取付筒部１１７）に対して回動可能な状態とされる軸受部（軸挿通部１２８）と、軸部に装着される止め輪（抜け止め部材１５０）と、を用いて、この接続部分が構成される。
【０１０５】
仮に、可動部材１００Ｋを、雄ネジ部材（ビス等）を用いて、ヘッド本体１１０に接続し、しかも、この雄ネジ部材（ビス等）の軸心を可動部材１００Ｋの回転軸心と一致させつつ、ヘッド本体１１０と可動部材１００Ｋとの間に相対回転を行う場合に、シャワーヘッド１Ａの使用期間の経過に伴い、雄ネジ部材（ビス等）に緩みを生ずる可能性がある。そして、これを放置すると、「シャワーヘッド１Ａからの不用意な漏水」を生ずる可能性があるため、シャワーヘッド１Ａの使用者等が、この「緩み」の有無を定期的に確認し、この緩みを修正することが必要となる。
【０１０６】
一方、この「緩み」の発生を防止したり、この「緩み」の「発生頻度」を低くすることを目的に、雄ネジ部材（ビス等）に加える締付トルク（可動部材１００Ｋをヘッド本体１１０に接続する際に、雄ネジ部材に加える締付トルク）を大きくことも考えられる。ところが、この締付トルクが大きくなればなるほど、可動部材１００Ｋを回転操作する際に、使用者が、可動部材１００Ｋに与えるべき荷重（以下、「回転荷重」という。）が大きくなるおそれがある。
【０１０７】
このように、「可動部材１００Ｋを雄ネジ部材を用いてヘッド本体１１０に接続する態様」を用いると、シャワーヘッド１Ａの製造時や使用時に、「締付トルク」の大きさを十分に管理することが必要なる。しかも、メンテナンスを行う者（メンテナンスを行う業者等）が、可動部材１００Ｋをヘッド本体１１０に再度、組み付ける際に、「好適な締付トルク（規定の締付トルク）」を、雄ネジ部材（ビス等）に加えることができない場合もある。
【０１０８】
これに対して、実施例２においては、ヘッド本体１１０と可動部材１００Ｋとの間の接続部分に、ネジ止めを使用しないため、シャワーヘッド１Ａの製造時や使用時において、「締付トルクの大きさの管理」等を行う必要がない。また、メンテナンスを行う者が、可動部材１００Ｋをヘッド本体１１０に再度、組み付ける際にも、「締付トルクの大きさの管理」等を行う必要がない。しかも、可動部材１００Ｋを回転操作する際の「回転荷重」を小さくすることもできる。従って、実施例２によると、シャワーヘッド１Ａの使用勝手が更に向上する。また、実施例２のシャワーヘッド１Ａにおいては、ヘッド本体１１０と可動部材１００Ｋとの間の水密性が、特殊形状のシール部材（Ｘパッキン）１００Ｐを用いて十分に確保されている。
【０１０９】
尚、実施例２のシャワーヘッド１Ａにおいても、回転位置に制限を設けてもよい。例えば、「可動部材１００Ｋの回転を停止できる回転停止位置を、９０度間隔で設定し、この回転停止位置以外では、可動部材１００Ｋの回転を停止できない態様（停止し辛い態様でもよい。）」、「可動部材１００Ｋの回転を停止できる回転停止位置を、４５度間隔、若しくは、３０度間隔で設定し、この回転停止位置以外では、可動部材Ｋの回転を停止できない態様（停止し辛い態様でもよい。）」等とすることもできる。この場合も、回転停止位置において、ヘッド本体の被係合部と、可動部材Ｋの係合部とを係合させることとする。そして、被係合部に係合部が係合する際に使用者の手が感ずる手感触（クリック感）によって、「可動部材Ｋが回転停止位置に到達したこと」を使用者に対して伝達することが有効である。また、実施例２のシャワーヘッド１Ａに対しても、前述の「変形例１」〜「変形例３」を適用することもできる。
【産業上の利用可能性】
【０１１０】
本発明は、例えば、水栓の製造、販売、施工、加工等を行う分野で利用可能である。
【図面の簡単な説明】
【０１１１】
【図１】実施例（実施例１）のシャワーヘッドの縦断面図である。
【図２】実施例（実施例１）のシャワーヘッドの要部拡大縦断面図である。
【図３】実施例（実施例１）のヘッド本体と基体部材を示す斜視図である。
【図４】（ａ）は実施例（実施例１）の基体部材の底面図（裏面部側から見た図）、（ｂ）は実施例（実施例１）の基体部材の平面図（表面部側から見た図）である。
【図５】（ａ）は図４（ａ）の１−１断面図  、（ｂ）は図４（ａ）の２−２断面図である。
【図６】実施例（実施例１）のシャワーフェイスの平面図（表面部側から見た図）である。
【図７】（ａ）は実施例（実施例１）のシャワーフェイスの底面図（裏面部側から見た図）、（ｂ）は図７（ａ）の３−３断面図、（ｃ）は図７（ａ）の４−４断面図である。
【図８】実施例（実施例１）のインナー部材の斜視図である。
【図９】（ａ）は実施例（実施例１）のインナー部材の底面図（裏面部側から見た図）、（ｂ）は図９（ａ）の５−５断面図である。
【図１０】（ａ）は実施例（実施例１）の固定部材の斜視図、（ｂ）は実施例（実施例１）の固定部材の平面図である。
【図１１】実施例（実施例１）のシャワーヘッドの組み立て方法を説明するための説明図である。
【図１２】（ａ）は実施例（実施例１）のシャワーヘッドを長軸方向に縦断する要部縦断面図、（ｂ）は実施例（実施例１）のシャワーヘッドを短軸方向に縦断する要部縦断面図である。
【図１３】実施例（実施例１）のシャワーヘッドの使用例を示す説明図である。
【図１４】変形例１示す説明図である。
【図１５】（ａ）は変形例２示す説明図、（ｂ）は変形例３示す説明図である。
【図１６】別の実施例（実施例２）のシャワーヘッドの縦断面図である。
【図１７】別の実施例（実施例２）のシャワーヘッドの要部拡大縦断面図である。
【図１８】（ａ）は別の実施例（実施例２）において基体部材を示す斜視図であり、（ｂ）は別の実施例（実施例２）において基体部材を示す縦断面図（短軸方向）である。
【図１９】別の実施例（実施例２）において基体部材を示す縦断面図（長軸方向）である。
【図２０】別の実施例（実施例２）のシャワーフェイスの平面図（表面部側から見た図）である。
【図２１】別の実施例（実施例２）のシャワーフェイスの縦断面図（長軸方向）である。
【図２２】別の実施例（実施例２）のシャワーヘッドの組み立て方法を説明するための説明図である。
【図２３】別の実施例（実施例２）のシャワーヘッドの組み立て方法を説明するための説明図である。
【図２４】別の実施例（実施例２）のシャワーヘッドの組立状態を説明するための説明図である。
【図２５】従来例を示す説明図である。
【符号の説明】
【０１１２】
１、１Ａ；シャワーヘッド（吐水ヘッド）、
１０、１１０；ヘッド本体、
１１、１１１；通水流路、
２０、１２０；基体部材、
３０、１３０；シャワーフェイス、
２０及び３０；可動部材、
１２０及び１３０；可動部材、
３５、１３５；吐水口、
Ｎ；形成領域、
Ｌ；フェイス本体の外縁部（吐水フェイスの外縁部）。
【図１】
2007275864.tif 000003
【図２】
2007275864.tif 000004
【図３】
2007275864.tif 000005
【図４】
2007275864.tif 000006
【図５】
2007275864.tif 000007
【図６】
2007275864.tif 000008
【図７】
2007275864.tif 000009
【図８】
2007275864.tif 000010
【図９】
2007275864.tif 000011
【図１０】
2007275864.tif 000012
【図１１】
2007275864.tif 000013
【図１２】
2007275864.tif 000014
【図１３】
2007275864.tif 000015
【図１４】
2007275864.tif 000016
【図１５】
2007275864.tif 000017
【図１６】
2007275864.tif 000018
【図１７】
2007275864.tif 000019
【図１８】
2007275864.tif 000020
【図１９】
2007275864.tif 000021
【図２０】
2007275864.tif 000022
【図２１】
2007275864.tif 000023
【図２２】
2007275864.tif 000024
【図２３】
2007275864.tif 000025
【図２４】
2007275864.tif 000026
【図２５】
2007275864.tif 000027